(57)【要約】【課題】集合トイレにおける温水生成のラニングコストの低減。【解決手段】燃料電池の廃熱を利用して、温水加熱・貯湯タンク９にて温水を生成するようにしたこと。【選択図】      図１
2004225405.tif 000002
【特許請求の範囲】
【請求項１】
集合トイレの各便器装置に各々取り付けられる複数の洗浄ノズルと、この洗浄ノズルに各々温水を供給する複数のノズル用貯湯タンクと、これらノズル用貯湯タンクに燃料電池の廃熱で生成された温水を供給する１個の温水・加熱貯湯タンクと、この温水・加熱貯湯タンクからノズル用貯湯タンクに温水を循環させる往路・復路の循環水路と、この往路・復路の循環水路とノズル用貯湯タンクを各々接続する接続水路と、前記循環水路の往路に設けられたポンプ装置と、このポンプ装置を制御して循環水路内の水圧を、便器装置の着座スイッチが非着座状態の時には、ノズル用貯湯タンク内の温水温度を一定温度に保つのに必要な最低循環水量を確保する所定の圧力に維持し、着座スイッチが着座状態の時には、洗浄に必要な温水をノズル用貯湯タンクに供給するのに必要な所定の圧力まで上昇して維持するポンプ装置の制御手段とを具えていることを特徴とする集合トイレ用温水洗浄便座装置。
【請求項２】
前記循環水路の往路と前記ノズル用貯湯タンクを接続する接続水路に設けられた水量調節弁と、オリフィスを含み、水量調節弁の上流側と下流側を接続するバイパス回路をさらに備えた特許請求の範囲第１項記載の集合トイレ用温水洗浄便座装置。
【請求項３】
集合トイレの各便器装置に各々取り付けられる複数の洗浄ノズルと、この洗浄ノズルに各々温水を供給する複数のノズル用貯湯タンクと、これらノズル用貯湯タンクに燃料電池の廃熱で生成された温水を供給する１個の温水・加熱貯湯タンクと、この温水・加熱貯湯タンクからノズル用貯湯タンクに温水を循環させる往路・復路の循環水路と、この往路・復路の循環水路とノズル用貯湯タンクを各々接続する接続水路と、前記温水・加熱貯湯タンクから前記ノズル用貯湯タンクに温水を循環させるポンプ装置と、前記接続水路に取り付けられ、便器装置の着座スイッチの着座状態・非着座状態に応答して開閉される水量調節弁と、オリフィスを含み、水量調節弁の上流側と下流側を接続し、ノズル用貯湯タンク内の温水温度を一定温度に保つのに必要な最低循環水量を流通させるバイパス回路とを具えていることを特徴とする集合トイレ用温水洗浄便座装置。
【発明の詳細な説明】
【０００１】
【発明の属する技術分野】
本発明は、集合トイレ用の人体局部洗浄装置に関する。
【０００２】
【従来の技術】
近年、温水洗浄便座装置を装備した水洗トイレが普及し、集合トイレにもこの温水洗浄便座装置を装備することが要望されてきた。
【０００３】
しかして、従来の温水洗浄便座装置を集合トイレに装備しようとした場合、各便器装置毎に温水・加熱貯湯タンクを装備することとなり、コストアップやスペース上の制約、さらには外観を損ったりメンテナンスが難しくなったりするといった問題が惹起される。かような問題を解消すべく、個々の洗浄ノズルには、共通の温水・加熱貯湯タンクから温水を供給する集合トイレ用温水洗浄便座装置が提供される。そして、温水・加熱貯湯タンク内においては、温水の生成・保温は、電気ヒータにより行われる（例えば特許文献１参照）。
【０００４】
【特許文献１】
特公平７−３９６８７号公報（第１〜６頁、第１〜４図）
【０００５】
【発明が解決しようとする課題】
ところが、温水・加熱貯湯タンク内に貯留される温水の量は、全ての洗浄ノズルから同時に温水が噴射された場合を想定すれば、充分な量でなくてはならない。そうすると、充分な量の温水の生成・保温を電気ヒータで行うことは、相当量の電力を消費し、集合トイレのランニングコストが増加する。
【０００６】
それ故に、本発明は、かような不具合が惹起されない、集合トイレ用温水洗浄便座装置を提供することを、技術的課題とする。
【０００７】
【課題を解決するための手段】
この発明は，上記目的を達成するための第１の手段として，集合トイレの各便器装置に各々取り付けられる複数の洗浄ノズルと，この洗浄ノズルに各々温水を供給する複数のノズル用貯湯タンクと，これらノズル用貯湯タンクに温水を供給する１個の温水・加熱貯湯タンクと，この温水・加熱貯湯タンクからノズル用貯湯タンクに燃料電池の廃熱で生成された温水を循環させる往路・復路の循環水路と，この往路・復路の循環水路とノズル用貯湯タンクを各々接続する接続水路と，前記循環水路の往路に設けられたポンプ装置と，このポンプ装置を制御して循環水路内の水圧を，便器装置の着座スイッチが非着座状態の時には，ノズル用貯湯タンク内の温水温度を一定温度に保つのに必要な最低循環水量を確保する所定の圧力に維持し，着座スイッチが着座状態の時には，洗浄に必要な温水をノズル用貯湯タンクに供給するのに必要な所定の圧力まで上昇して維持するポンプ装置の制御手段とを具えていることを特徴としているものであり，また第２の手段は，集合トイレの各便器装置に各々取り付けられる複数の洗浄ノズルと，この洗浄ノズルに各々温水を供給する複数のノズル用貯湯タンクと，これらノズル用貯湯タンクに温水を供給する１個の温水・加熱貯湯タンクと，この温水・加熱貯湯タンクからノズル用貯湯タンクに温水を循環させる往路・復路の循環水路と，この往路・復路の循環水路とノズル用貯湯タンクを各々接続する接続水路と，前記温水・加熱貯湯タンクから前記ノズル用貯湯タンクに温水を循環させるポンプ装置と，前記接続水路に取り付けられ，便器装置の着座スイッチの着座状態・非着座状態に応答して開閉される水量調節弁と，オリフィスを含み，水量調節弁の上流側と下流側を接続し，ノズル用貯湯タンク内の温水温度を一定温度に保つのに必要な最低循環水量を流通させるバイパス回路とを具えていることを特徴としているものである。
【０００８】
上記発明のうち第１の手段は，便器装置の不使用時すなわち着座スイッチが非着座状態のときには，制御手段によってポンプ装置が制御されて，循環水路内の水圧が所定の圧力に維持され，ノズル用貯湯タンク内の温水温度を一定温度に保つのに必要な最小限の水量が，循環水路および接続水路を通って温水・加熱貯湯タンクとノズル用貯湯タンク間を循環され，便器装置の使用時すなわち着座スイッチが着座状態のときには，制御手段によってポンプ装置が制御されて，循環水路内の水圧が所定の圧力まで上昇され，洗浄に必要な量の温水が温水・加熱貯湯タンクからノズル用貯湯タンクに供給される。
【０００９】
また第２の手段は，着座スイッチが非着座状態のときには水量調節弁は閉じられ，ノズル用貯湯タンク内の温水温度を一定に保つのに最低限必要な水量はバイパス回路を通って循環され，着座スイッチが着座状態のときには，水量調節弁が開かれ，洗浄に必要な量の温水が，温水・加熱貯湯タンクからノズル用貯湯タンクに供給される。
【００１０】
【発明の実施の形態】
以下この発明を図面に示す実施例に基づいて、さらに詳細に説明する。
【００１１】
図１において、集合トイレの各便器装置に装備される洗浄ノズル１は、それぞれノズル用貯湯タンク２に取り付けられており、このノズル用貯湯タンク２から温水を供給されて先端から噴出するようになっている。
【００１２】
各ノズル用貯湯タンク２は、接続水路３ａ、３ｂで往路・復路の循環水路４ａ、４ｂと各々接続されている。ノズル用貯湯タンク２と往路の循環水路４ａとを接続する接続水路３ａには、各々自動閉止弁又は洗浄スイッチに連動する電磁開閉弁５を含む水量調節弁６が取り付けられており、またこの水量調節弁６の上流側と下流側とは、オリフィス７を含むバイパス回路８で接続されている。
【００１３】
循環水路４ａ、４ｂは各々温水加熱・貯湯タンク９に接続されており、この往路の循環水路４ａと貯湯タンク９とを接続する水路には、モータ１０によって駆動されるポンプ１１と第１  、第２水圧センサ１２、１３が取り付けられている。また、ポンプ１１によって下流側水路内の圧力が上がり過ぎたときに、下流側から上流側に温水を逃してやる図示しない回路が、ポンプ１１に内蔵され、または、ポンプ１１の上流側と下流側間に設けられている。
【００１４】
温水加熱・貯湯タンク９には、ソレノイド弁１４および逆流防止弁１５を介して給水水圧源（水道水またはポンプ）１６が接続されている。さらに貯湯タンク９には上フロートスイッチ１７および下フロートスイッチ１８が取り付けられており、貯湯タンク９内の水面の上・下限位置を各々検知するようになっている。またさらに貯湯タンク９内には、液体膨張式の温度計１９および伝熱体１２０が取り付けられている。後で詳しく説明するように、伝熱体１２０は燃料電池の廃熱で生成された湯が通過するジグザグ形状の配管であって、この湯から温水加熱・貯湯タンク９内の水に熱が伝達されて、温水が生成される。温水の温度は、温度計１９により常時検出ないし監視されており、この温度が所定温度に達すると、ＣＰＵ３２（図５）は、伝熱体１２０内の湯の通過を中断して、温水温度が所定値になるまで待つことになる。
【００１５】
上、下フロートスイッチ１７、１８からの液面検出信号は、液面コントローラ２２に入力されるとともにこの液面コントローラ２２を介してモータコントローラ２３に入力されるようになっている。液面コントローラ２２は、液面検出信号に基づいてソレノイド弁１４の開閉を行う。モータコントローラ２３は各便器装置の洗浄スイッチ２４および着座スイッチ２５からのオン信号、水圧センサ１２、１３からの水圧検出信号および上、下フロートスイッチ１７、１８からの液面検出信号が入力されて、モータ１０の回転制御を行う。
【００１６】
また水量調節弁６は洗浄スイッチ２４がオンすることによって開放されるようになっており、またマニュアル操作によって供給水量を調節できるようになっている。
【００１７】
図２は洗浄ノズル１の拡大断面図であり、本体１ａに、先端に温水噴出口１６を有するノズル１ｃが突出自在に嵌挿されている。そしてノズル１ｃは本体１ａとの間に介装されたばね１ｄによって本体１ａ内に収容される方向に付勢されている。さらにノズル１ｃの後端部にはノズル弁１ｅが内装されており、ノズル弁バネ１ｆによって流路１ｇを閉鎖する方向に付勢している。
【００１８】
この洗浄ノズル１は、洗浄スイッチ２４がオンされ、水量調節弁６が開かれると、チャンバ１ｈ内の水圧により付勢されてノズル１ｃが本体１ａ内からスライドして突出する。このノズル１ｃの突出が完了してチャバ１ｈ内の圧力がさらに上昇すると、この圧力によってノズル弁１ｅがノズル弁バネ１ｆに抗して押し下げられ、温湯が流路１ｇを通って温湯噴出口１ｂから噴出されるものである。
【００１９】
次に図３を参照しながら洗浄装置の操作状態とポンプ１０による加圧系水圧およびノズル用貯湯タンク内水圧との関係を説明する。
【００２０】
洗浄装置の電源（ａ）がオンされる（時間ｔ  １  ）と、モータ１０がモータコントローラ２３により制御され、第１水圧センサ１２が応動して、加圧系水圧が保温循環水圧（レベルＡ）に維持される。このとき水量調節弁６の開度はゼロであり、温水の循環はバイパス回路８およびオリフィス７を通って行われている。そしてノズル用貯湯タンク内水圧は最小限水圧（ＭＩＮ）に保持されている。
【００２１】
次に着座スイッチ２５がオンされる（時間ｔ  ２  ）と、モータ１０がモータコントローラ２３により制御され、第２水圧センサ１３が応動して、加圧系水圧が洗浄水圧（レベルＢ）まで上昇されて維持される。このときはまだ水量調節弁６の開度はゼロであり、ノズル用貯湯タンク内水圧は最小限水圧（ＭＩＮ）のままである。
【００２２】
次に洗浄スイッチ２４がオンされる（時間ｔ  ３  ）と、水量調節弁６が自動的に開き始め、ノズル用貯湯タンク内水圧がＰ  １  まで上昇する（時間ｔ  ４  ）と洗浄ノズル１のノズル１ｃが伸長し始め、水圧Ｐ  ２  （時間ｔ  ５  ）でノズル１ｃの伸長が完了し、水圧がさらに上昇してＰ  ３  まで上昇する（時間ｔ  ６  ）と、ノズル弁１ｅが開放されて洗浄水の噴出が始まる。
【００２３】
洗浄水の噴出量を調節するのは、マニュアル操作で水量調節弁６の開度を調節して、ノズル用貯湯タンク内水圧の上限値を設定することにより、洗浄水の噴出量を調節することが出来る。例えば、図３において水量調節弁６の開度をとすると、ノズル用貯湯タンク内水圧はＰ  ４  まで上昇して維持され、また最大限水圧（ＭＡＸ）まで上昇させることが出来る。
【００２４】
洗浄終了後洗浄スイッチ２４および着座スイッチ２５がオフされると、水量調節弁６が閉じられるとともに、モータコントローラ２３の制御によって加圧系水圧がレベルＡまで下降され、再び温水の保温循環が行われる。
【００２５】
上下フロート１７、１８によるソレノイド弁１４の制御回路は図４に示すようになっており、これを図５に示す表を参照しながら説明を行うと、次のようになる。
【００２６】
洗浄時すなわち洗浄スイッチリレー２６がオンの状態では、上フロート１７および下フロート１８が共にＨ（上位置）のとき（満水時）および上フロート１７がＬ（下位置）、下フロート１８がＨのとき（洗浄水噴出時）、液面コントローラ２２の制御によってソレノイド弁１４はオンされず、温水加熱・貯湯タンク９への給水は行われない。
【００２７】
なお温水加熱・貯湯タンク９は、集合トイレの全ての便器装置において同時に洗浄が行われたとしても、洗浄に必要な十分な温水を供給するだけの容量を有しているものであり、そのため洗浄中にソレノイド弁１４が開いて貯湯タンク９内に冷水が流入し、温水の温度が下がるといった虞はない。
【００２８】
そして貯湯タンク９の水面が下がり、上フロート１７および下フロート１８が共にＬになると、洗浄スイッチリレー２６のオン・オフにかかわらず、ソレノイド弁１４がオンされて、貯湯タンク９内に水圧源１６から冷水が給水される。そしてこの給水により貯湯タンク９内の水位が上がり、上フロート１７および下フロート１８が共にＨになると、ソレノイド弁１４がオフされ、給水が止まる。尚、図４において、２７はソレノイド弁スイッチ、２８はサーモスイッチである。
【００２９】
伝熱体１５２は、図５に示す燃料電池システム９００の排熱回収回路９３０から電磁弁１２２を介して並列に設けられた配管であって、温水タンク５０内においては水との接触面積を大きくするためにジグザグ状に曲折形成されている。ＣＰＵ３２の統制下にある電磁弁１２２が開いているとき、伝熱体１５２には、排熱回収回路９３０を循環する、燃料電池システム９００の排熱で生成された湯が通過し、この湯の持つ熱が温水タンク５０内の水と熱交換して、この水を暖めて、温水となすようになっている。しかして水温が所定値になると、ＣＰＵ３２は電磁弁１２２を閉じて、温水タンク５０内の水の加熱を停止する。この加熱停止が所定時間継続して水温が所定値未満になると、ＣＰＵ３２は電磁弁１２２を開いて、温水タンク５０内の水の加熱を再開する。かようにして、温水タンク５０内の水の温度は所定値に保たれる。
【００３０】
上記した燃料電池システム９００の排熱で生成される湯について、燃料電池システム９００の概括説明を兼ねて、説明する。
【００３１】
燃料電池システム９００は、改質部９２０及び燃料電池９１１を備えている。燃料電池９１１は、触媒電極である空気極（カソード）９１２と、同じく触媒電極である燃料極（アノード）９１３とを備えて、固体高分子電解質型に構成されている。空気極９１２には、空気供給通路９１４を介して空気ブロア９１５が接続されている。この空気ブロア９１５は、回転数の変更により空気供給量を可変に構成されている。一方、燃料極９１３には、改質ガス供給通路９１６を介して改質部９２０が接続されている。
【００３２】
改質部９２０は、燃料改質器９２１、ＣＯ変成器９２２及びＣＯ選択酸化器９２３を順に接続して構成されている。この改質部９２０は、ＣＯ選択酸化器９２３側で燃料電池９１１の燃料極９１３に接続される。また、改質部９２０の燃料改質器９２１側には、原料ガス供給通路９１８を介して原燃料源（都市ガス）９１７が接続されている。燃料改質器９２１には、上記空気供給通路９１４から分岐した分岐通路９１９が接続されている。この分岐通路９１９は、燃料改質器９２１に対して、部分酸化反応用の空気を供給するためのものである。一方、ＣＯ変成器９２２には、水蒸気供給源（図示省略）が接続されている。この水蒸気供給源は、ＣＯ変成器９２２に対して、水性ガスシフト反応用の水蒸気を供給するためのものである。
【００３３】
燃料改質器９２１には、周知のように、部分酸化反応に活性を呈する触媒（Ｒｈ又はＲｕをＡｌ２Ｏ３に担持させてなる触媒）が充填されている。また、ＣＯ変成器９２２には、水性ガスシフト反応に活性を呈する触媒（ＰｔをＡｌ２Ｏ３に担持させてなる触媒）が充填されている。更に、ＣＯ選択酸化器９２３にはＣＯの選択酸化反応に活性を呈する触媒（Ｒｕ又はＰｔをＡｌ２Ｏ３又はゼオライトに担持させてなる触媒）が充填されている。
【００３４】
燃料改質器９２１では、触媒上において原燃料の部分酸化反応が起こり、水素とＣＯとが生成する。燃料改質器９２１を出た改質ガスは、ＣＯ変成器９２２へ送られる。ＣＯ変成器９２２では、触媒上において水性ガスシフト反応が起こり、改質ガスのＣＯ濃度が低下する。ＣＯ変成器９２２を出た改質ガスは、ＣＯ選択酸化器９２３へ送られる。ＣＯ選択酸化器９２３では、触媒上においてＣＯの選択酸化反応が起こり、改質ガスのＣＯ濃度がさらに低下する。ＣＯ選択酸化反応器を出た改質ガスは、燃料電池９１１の燃料極９１３に導入される。
【００３５】
燃料改質器９２１には、また、周知のように、起動用の電気ヒータ（図示省略）が設けられている。即ち、起動時には燃料改質器９２１の温度が低いため、電気ヒータへの通電によって、触媒が活性を呈する温度（例えば摂氏４６０度程度）まで加熱される。起動後は、電気ヒータへの通電を停止する。燃料改質器２１における部分酸化反応は発熱反応であるため、起動後において外部からの熱供給は不要である。
【００３６】
燃料電池９１１には、空気供給通路９１４を通じて空気極９１２へ空気が導入され、改質ガス供給通路９１６を通じて燃料極９１３へ改質ガスが導入される。燃料電池９１１では、燃料極９１３の電極表面で下記（１）の反応が、空気極９１２の電極表面で下記（２）の反応が、夫々、惹起される。
【００３７】
（１）２Ｈ２  →  ４Ｈ＋＋４ｅ−
（２）Ｏ２＋４Ｈ＋＋４ｅ−  →  ２Ｈ２Ｏ
この電池反応によって、燃料電池９１１から直流電力が出力される。また、燃料電池９１１には、可変抵抗による電圧調節器９２７介してインバータ９２８が接続され、このインバータ９２８に電力負荷９２９が接続されている。そして、燃料電池９１１からの直流電力は、所定電圧で所定周波数の交流電力に変換されて電力付加へ供給される。尚、燃料電池９１１における空気極９１２及び燃料極９１３の各排気口は、大気開放されている。
【００３８】
燃料電池装置９１０には、閉回路に構成されて水が循環する熱回収回路９３０が設けられている。この熱回収回路９３０は、燃料電池９１１及び改質部９２０の廃熱を回収して温水を生成するためのものである。熱回収回路９３０は、貯湯タンク９３１と、ポンプ９３２と、第１熱回収部９３３と、第２熱回収部９３４とを順に配管接続して構成されている。第１熱回収部９３３は、燃料電池９１１に設けられており、熱回収回路９３０で循環する水を燃料電池９１１の廃熱によって加熱する。第２熱回収部９３４は、改質部９２０に設けられており、熱回収回路９３０で循環する水を改質部９２０の燃料改質器９２１、ＣＯ変成器９２２及びＣＯ選択酸化器９２３の廃熱によって加熱する。つまり、熱回収回路９３０を循環する水は、第１熱回収部９３３及び第２熱回収部９３４を順に流れて次第に加熱され、例えば摂氏８０度程度の温水となって貯湯タンク９３１に蓄えられる。同時に、電磁弁１２２が開かれているとき、温水タンク５０内の伝熱体１５２も通過して、前述したように、温水タンク内５０の水の水温を上昇せしめる。
【００３９】
以上、本発明の実施の形態について説明したが、本発明は上述した実施の形態に限定される意図はなく、本発明の趣旨に沿った形態の温水洗浄便座装置であれば、どのようなものでもよい。また、燃料電池の廃熱は、狭く解釈されてはならずコージェネの廃熱をも包摂するものとする。
【００４０】
【発明の効果】
以上述べたようにように、本発明においては、以上のようにこの発明の第１の手段は、集合トイレの各便器装置に取り付けられる複数の洗浄ノズル用の小容量のノズル用貯湯タンクに１個の温水・加熱貯湯タンクから温度計１９による検出温水を各々供給するようにしたので、各便器装置毎に大容量の温水貯湯タンクや温水加熱装置を装備する必要がなくなり、コストダウンが可能となり、メンテナンスが容易となり、またスペース上の制約や外観を損ったりするといった問題を解決することが出来る。
【００４１】
また、燃料電池の廃熱利用で温水を生成するので、ヒータで温水を生成する場合に比べて、ラニングコストが安くなり、実用上多大な効果を奏するものである。すなわち、燃料電池が作動している間、不可避的に生成される廃熱を利用して洗浄に用いられる温水を生成するようにしたので、電気ヒータを用いて温水を生成する場合に比べて、ランニングコストを格段に低減できる。特に、使用頻度が稀な深夜に電気ヒータへの通電を行う必要がないので、このメリットは計り知れないものである。
【００４２】
更に、本発明は、便器装置の不使用時には、循環水路内の水圧が低レベルに維持されて、ノズル用貯湯タンク内の温水温度を、一定温度に保持するのに必要な最小限の水量のみが循環され、便器装置の使用時には循環水路内の水圧が高レベルに維持されて、洗浄に必要な量の温水がノズル用貯湯タンクに供給されるので、常に快適使用温度の温水によって洗浄を行うことが出来る。
【００４３】
またこの発明の第２の手段は、第１の手段と同様に、複数の洗浄ノズルに一個の温水・加熱貯湯タンクから温水を供給することが出来るので、コストダウン等が可能になるとともに、便器装置の不使用時には、水量調節弁が閉じられ、ノズル用貯湯タンク内の温水温度を一定温度に保持するのに必要な最小限の水量はバイパス回路を通って循環され、便器装置の使用時には、水量調節弁が開かれて洗浄に必要な量の温水がノズル用貯湯タンクに供給されるので、常に快適使用温度の温水によって洗浄を行うことが出来、ランニングコストも少なくて済む。
【図面の簡単な説明】
【図１】この発明にかかる集合トイレ用温水洗浄便座装置の一実施形態例の構成図である。
【図２】図１に示される集合トイレ用温水洗浄便座装置において使用される洗浄ノズルの断面図である。
【図３】図１に示される集合トイレ用温水洗浄便座装置における、操作状態と水圧の関係を示すためのグラフである。
【図４】図１に示される集合トイレ用温水洗浄便座装置における、温水・加熱貯湯タンクの給水制御回路の回路図である。
【図５】作動時の、フロートスイッチとソレノイド弁の状態関係を示す表である。
【図６】熱回収回路を含む燃料電池システムのブロック図である。
【符号の説明】
１・・・洗浄ノズル
２・・・ノズル用貯湯タンク
３ａ・・・接続水路
３ｂ・・・接続水路
４ａ・・・循環水路
４ｂ・・・循環水路
５・・・水量調節弁
７・・・オリフィス
８・・・バイパス回路
９・・・温水・加熱貯湯タンク
１０・・・モータ
１１・・・ポンプ
１２・・・水圧センサ
１３・・・水圧センサ
２３・・・モータコントローラ
２４・・・洗浄スイッチ
２５・・・着座スイッチ
３２・・・ＣＰＵ
１２０・・・伝熱体
９１０・・・燃料電池装置
９３０・・・熱回収回路
【図１】
2004225405.tif 000003
【図２】
2004225405.tif 000004
【図３】
2004225405.tif 000005
【図４】
2004225405.tif 000006
【図５】
2004225405.tif 000007
【図６】
2004225405.tif 000008